(57)【要約】【課題】様々な種類のシートを排出トレイに適切に排出させることが可能なシート排出装置それを備えた画像形成装置を提供する。【解決手段】この用紙排出装置（シート排出装置）は、トレイ装置２０を備える。トレイ装置２０は、トレイ本体２１と、トレイ本体２１上に配置され、排出ローラー対１８が排出した用紙Ｐを積載する排出トレイ３０と、昇降機構４０と、を含む。排出トレイ３０は、第１トレイ３１と、第１トレイ３１に対して用紙排出方向下流側に配置される第２トレイ３２と、第１トレイ３１と第２トレイ３２との接続部に設けられる回動軸３３と、を含む。昇降機構４０は、第１トレイ３１および第２トレイ３２をトレイ本体２１に対して昇降させるとともに、回動軸３３を中心として第１トレイ３１の用紙排出方向の上流側端部３１ａを昇降させることにより第１トレイ３１の角度を変更する。【選択図】図３
2020079157.tif 000002
【特許請求の範囲】
【請求項１】
シート排出口と、
前記シート排出口に設けられる排出ローラー対と、
前記排出ローラー対のシート排出方向下流側に配置されるトレイ装置と、
を備え、
前記トレイ装置は、トレイ本体と、前記トレイ本体上に配置され、前記排出ローラー対が排出したシートを積載する排出トレイと、前記排出トレイを昇降させる昇降機構と、を含み、
前記排出トレイは、第１トレイと、前記第１トレイに対して前記シート排出方向下流側に配置される第２トレイと、前記第１トレイと前記第２トレイとの接続部に設けられ、前記第１トレイのシート排出方向下流側の端部を回動可能に支持する回動軸と、を含み、
前記昇降機構は、前記第１トレイおよび前記第２トレイを前記トレイ本体に対して昇降させるとともに、前記回動軸を中心として前記第１トレイのシート排出方向の上流側端部を昇降させることにより前記第１トレイの角度を変更することを特徴とするシート排出装置。
【請求項２】
前記昇降機構を制御する昇降制御部をさらに備え、
前記昇降機構は、前記第１トレイの前記上流側端部を昇降させることにより前記第１トレイの角度を変更する第１昇降部と、前記第２トレイを前記トレイ本体に対して昇降させる第２昇降部と、を含み、
前記昇降制御部は、前記第２昇降部により前記第２トレイを前記トレイ本体に対して昇降させる際に、前記第１トレイの角度を維持するように前記第２トレイの昇降量に基づいて前記第１昇降部により前記第１トレイの前記上流側端部を昇降させることを特徴とする請求項１に記載のシート排出装置。
【請求項３】
シートの厚みに関する情報を取得する厚み情報取得部をさらに備え、
前記昇降制御部は、前記シートの厚みが第１の厚みの場合、前記シートの厚みが前記第１の厚みよりも厚い第２の厚みの場合に比べて、前記第２トレイの前記トレイ本体に対する高さ位置を高くするとともに、前記第１トレイの水平面に対する角度が小さくなるように前記第１昇降部により前記第１トレイの角度を変更することを特徴とする請求項２に記載のシート排出装置。
【請求項４】
前記排出トレイは、前記トレイ本体に対して前記シート排出方向に沿った方向に移動可能に構成されていることを特徴とする請求項１〜３のいずれか１項に記載のシート排出装置。
【請求項５】
前記トレイ装置は、前記排出トレイを前記トレイ本体に対して前記シート排出方向に沿った方向に移動させる移動機構をさらに含むことを特徴とする請求項４に記載のシート排出装置。
【請求項６】
シートのサイズに関する情報を取得するサイズ情報取得部と、
前記サイズ情報取得部が取得した情報に応じて前記移動機構を制御する移動制御部と、
をさらに備え、
前記移動制御部は、前記シートのサイズが第１のサイズの場合、前記排出トレイを第１の位置に配置し、前記シートのサイズが前記第１のサイズよりも大きい第２のサイズの場合、前記排出トレイを前記第１の位置よりも前記シート排出方向下流側の第２の位置に配置することを特徴とする請求項５に記載のシート排出装置。
【請求項７】
前記第１トレイは、前記第１トレイに収納される収納位置と、前記第１トレイから前記シート排出方向上流側に引き出されて前記第１トレイのシート積載面を延長する引出位置と、に選択配置される延長トレイが設けられていることを特徴とする請求項４〜６のいずれか１項に記載のシート排出装置。
【請求項８】
請求項１〜７のいずれか１項に記載のシート排出装置と、
シートに画像を形成する画像形成部と、
を備えることを特徴とする画像形成装置。
【発明の詳細な説明】
【技術分野】
【０００１】
本発明は、複写機、ファクシミリ、プリンター等の画像形成装置によって画像形成された用紙等のシートを排出する排出ローラー対と排出トレイとを有するシート排出装置それを備えた画像形成装置に関する。
【背景技術】
【０００２】
従来、複写機、プリンター等の画像形成装置には、画像形成された用紙（シート）を排出するための用紙排出口と、用紙排出口に設けられる排出ローラー対と、排出ローラー対が排出した用紙を積載する排出トレイと、が設けられている。
【０００３】
用紙排出口から排出される用紙が下方向にカールしている（巻き癖が付いている）と、用紙の先端が排出トレイに接触する際の用紙先端の排出トレイに対する進入角度（排出トレイの上面に対する用紙先端の角度）が大きくなり、排出トレイ上で用紙先端が丸まってしまう場合がある。この用紙先端の丸まりを抑制するために、用紙排出口に、用紙のカールを矯正する手段として、用紙を排出ローラー対によって排出する際に用紙に腰を付与する腰付け部材を設けた画像形成装置が知られている。
【０００４】
なお、用紙に腰を付与する腰付け部材を設けた画像形成装置は、例えば特許文献１に開示されている。
【先行技術文献】
【特許文献】
【０００５】
【特許文献１】特開２００４−２０３５号公報
【発明の概要】
【発明が解決しようとする課題】
【０００６】
しかしながら、従来の腰付け部材を備えた画像形成装置では、腰付け部材を例えば薄紙や厚紙等の様々な厚みの用紙に対して適応するように設定することは非常に困難であるという問題点がある。
【０００７】
本発明は、上記のような課題を解決するためになされたものであり、本発明の目的は、様々な種類のシートを排出トレイに適切に排出させることが可能なシート排出装置それを備えた画像形成装置を提供することである。
【課題を解決するための手段】
【０００８】
上記目的を達成するために、本発明の第１の構成のシート排出装置は、シート排出口と、シート排出口に設けられる排出ローラー対と、排出ローラー対のシート排出方向下流側に配置されるトレイ装置と、を備える。トレイ装置は、トレイ本体と、トレイ本体上に配置され、排出ローラー対が排出したシートを積載する排出トレイと、排出トレイを昇降させる昇降機構と、を含む。排出トレイは、第１トレイと、第１トレイに対してシート排出方向下流側に配置される第２トレイと、第１トレイと第２トレイとの接続部に設けられ、第１トレイのシート排出方向下流側の端部を回動可能に支持する回動軸と、を含む。昇降機構は、第１トレイおよび第２トレイをトレイ本体に対して昇降させるとともに、回動軸を中心として第１トレイのシート排出方向の上流側端部を昇降させることにより第１トレイの角度を変更する。
【発明の効果】
【０００９】
本発明の第１の構成のシート排出装置によれば、排出トレイは、第１トレイと、第１トレイに対してシート排出方向下流側に配置される第２トレイと、第１トレイと第２トレイとの接続部に設けられる回動軸と、を含み、昇降機構は、第１トレイおよび第２トレイをトレイ本体に対して昇降させるとともに、回動軸を中心として第１トレイのシート排出方向の上流側端部を昇降させることにより第１トレイの角度を変更する。これにより、様々な種類のシートに応じて第１トレイを適切な角度に設定することができるとともに、第１トレイおよび第２トレイを適切な高さ位置に設定することができる。このため、様々な種類のシートを排出トレイに適切に排出させることができる。
【図面の簡単な説明】
【００１０】
【図１】本発明の一実施形態の用紙排出装置（シート排出装置）を備えた画像形成装置の構成を示す概略図である。
【図２】本発明の一実施形態の用紙排出装置のトレイ装置の構造を示した斜視図である。
【図３】本発明の一実施形態の用紙排出装置のトレイ装置周辺の構造を示した図である。
【図４】本発明の一実施形態の用紙排出装置のトレイ装置周辺の構造を示した図であり、図３の状態に比べて、第１トレイおよび第２トレイを高い位置に配置し、第１トレイの傾斜角度を小さくした状態を示した図である。
【図５】本発明の一実施形態の用紙排出装置のトレイ装置周辺の構造を示した図であり、図３の状態に比べて、第１トレイおよび第２トレイを低い位置に配置し、第１トレイの傾斜角度を大きくした状態を示した図である。
【図６】本発明の一実施形態の画像形成装置の制御経路の一部を示すブロック図である。
【図７】本発明の一実施形態の用紙排出装置のトレイ装置周辺の構造を示した図であり、図３の状態から、スライド部材を用紙排出方向下流側に移動させた状態を示した図である。
【図８】本発明の一実施形態の用紙排出装置の延長トレイを収納位置に配置した状態を示した図である。
【図９】本発明の一実施形態の用紙排出装置の延長トレイを引出位置に配置した状態を示した図である。
【図１０】本発明の変形例の用紙排出装置のトレイ装置の構造を示した斜視図である。
【発明を実施するための形態】
【００１１】
以下、図面を参照しながら本発明の実施形態について説明する。
【００１２】
図１に示すように、本発明の一実施形態の用紙排出装置を備えた画像形成装置１００は、いわゆる胴内排紙型のデジタル複合機であって、画像形成装置１００本体の上部には、原稿の画像を電気信号として読み取る画像読取部８が設けられ、その上には原稿搬送装置３が付設されている。
【００１３】
画像形成装置１００本体には、用紙（シート）Ｐの給紙部４、用紙搬送路５、用紙Ｐ上にトナー画像を形成する画像形成部６、用紙Ｐ上のトナー画像を定着するための定着装置７、定着後の用紙Ｐを搬送して画像形成装置１００本体から排出するための排出ローラー対１８が設けられている。
【００１４】
また、画像形成装置１００本体には、左側面及び正面に向けて大きく開放された胴内排紙空間１６が形成されており、この胴内排紙空間１６には、排出ローラー対１８によって排出される用紙Ｐが積載されるトレイ装置２０が設けられている。
【００１５】
用紙搬送路５の下流端には、用紙排出口（シート排出口）１９が設けられている。排出ローラー対１８は、用紙排出口１９に設けられており、用紙搬送路５を搬送された用紙Ｐをトレイ装置２０上に排出する。なお、本実施形態では、用紙排出口１９に、用紙Ｐに腰を付与する腰付け部材は設けられていない。
【００１６】
次に、トレイ装置２０周辺の構造について詳細に説明する。
【００１７】
図２および図３に示すように、トレイ装置２０は、トレイ本体２１と、トレイ本体２１上に配置され、用紙Ｐが積載される排出トレイ３０と、排出トレイ３０を昇降させる昇降機構４０と、を含んでいる。
【００１８】
排出トレイ３０は、用紙排出方向上流側（図２の右側）に配置され排出ローラー対１８（図３参照）が排出した用紙Ｐの先端部を受ける第１トレイ３１と、第１トレイ３１に対して用紙排出方向下流側（図２の左側）に配置される第２トレイ３２と、第１トレイ３１と第２トレイ３２との接続部に設けられ、第１トレイ３１の用紙排出方向下流側の端部を回動可能に支持する回動軸３３と、によって構成されている。
【００１９】
第１トレイ３１は図３〜図５に示すように、用紙排出方向の上流側端部３１ａが昇降するように回動軸３３を中心として回動（揺動）可能である。なお、第２トレイ３２は、第１トレイ３１とは異なり、回動（揺動）しない。
【００２０】
ここで、第１トレイ３１の角度と、第１トレイ３１および第２トレイ３２の高さ位置とは、用紙Ｐの厚みに応じて変更される。
【００２１】
具体的には、図２および図３に示すように、昇降機構４０は、第１トレイ３１の下方に配置される第１昇降部４１と、第２トレイ３２の下方に配置される第２昇降部４２と、を含んでいる。なお、図２では、第１昇降部４１および第２昇降部４２を簡略化して描いている。
【００２２】
図３に示すように、第１昇降部４１は、台座４１ａと、第１トレイ３１の上流側端部３１ａを支持する受台４１ｂと、台座４１ａと受台４１ｂとの間に配置され上下方向に伸縮可能なアーム部４１ｃと、によって構成されている。アーム部４１ｃが上下方向に伸縮することによって、回動軸３３を中心として第１トレイ３１の上流側端部３１ａが上下に移動し、第１トレイ３１の角度（第１トレイ３１の上面（用紙積載面）の水平面に対する角度）が変更される。なお、第１昇降部４１は図示しないステッピングモーター等からなる第１駆動源によって駆動され、第１駆動源が正逆回転することによって第１昇降部４１が伸縮する。
【００２３】
第２昇降部４２は、台座４２ａと、第２トレイ３２を支持する受台４２ｂと、台座４２ａと受台４２ｂとの間に配置され上下方向に伸縮可能なアーム部４２ｃと、によって構成されている。アーム部４２ｃが上下方向に伸縮することによって、第２トレイ３２および回動軸３３がトレイ本体２１に対して昇降する。なお、第２昇降部４２は図示しないステッピングモーター等からなる第２駆動源によって駆動され、第２駆動源が正逆回転することによって第２昇降部４２が伸縮する。
【００２４】
昇降機構４０は、制御部（昇降制御部、移動制御部）８０（図１参照）によって制御される。
【００２５】
図６に示すように、制御部８０は、ＣＰＵ（Central Processing Unit）、ＲＯＭ（Read Only Memory）およびＲＡＭ（Random Access Memory）等によって構成されており、操作パネル（厚み情報取得部、サイズ情報取得部）６０からの入力信号を受信したりするように構成されている。用紙排出口１９、排出ローラー対１８、トレイ装置２０、操作パネル６０および制御部８０によって、用紙排出装置（シート排出装置）が構成されている。制御部８０は、用紙排出装置全体を制御する。なお、制御部８０は、画像形成装置１００を制御する本体制御部（図示せず）との間で通信可能で、用紙排出装置のみを制御するように構成されていてもよいし、画像形成装置１００を制御する本体制御部を兼ねるように構成されていてもよい。
【００２６】
操作パネル６０には、ユーザーにより用紙Ｐの種類に関する情報が入力される。具体的には、操作パネル６０には、ユーザーにより用紙Ｐが例えば薄紙、普通紙又は厚紙のいずれであるかが入力される。すなわち、操作パネル６０には、用紙Ｐの厚みに関する情報が入力される。また、操作パネル６０には、ユーザーにより用紙Ｐのサイズに関する情報が入力される。そして、操作パネル６０は、取得した情報を制御部８０に送信する。制御部８０は、操作パネル６０からの情報に応じて昇降機構４０を制御する。
【００２７】
ここで、本実施形態では、制御部８０は、用紙Ｐの厚みに応じて、第１トレイ３１の角度と、第１トレイ３１および第２トレイ３２の高さ位置と、を昇降機構４０を用いて変更する。
【００２８】
具体的には、用紙ＰがＡ４サイズの普通紙である場合、第１トレイ３１および第２トレイ３２は、制御部８０によって図３の状態に設定される。
【００２９】
一方、用紙ＰがＡ４サイズで、用紙Ｐの厚みが第１の厚み（用紙Ｐが例えば薄紙）の場合は図４に示すように、制御部８０は、第１昇降部４１を用いて、第１トレイ３１の上面（用紙載置面）が水平に近づくように、第１トレイ３１の角度を変更する。また、制御部８０は、第２昇降部４２を用いて、第２トレイ３２および回動軸３３のトレイ本体２１に対する高さ位置を高くする。このとき、第２トレイ３２の上昇量（第１昇降部４１の伸長量）と同じ量だけ第１トレイ３１の上流側端部３１ａを上昇（第２昇降部４２を伸長）させると、第１トレイ３１の角度は変化しない。このため、図３の状態から図４の状態にするには、第１トレイ３１の上流側端部３１ａの上昇量を第２トレイ３２の上昇量よりも大きくする必要がある。すなわち、制御部８０は、第２トレイ３２をトレイ本体２１に対して昇降させる際に、第２トレイ３２の昇降量に基づいて第１トレイ３１の上流側端部３１ａを昇降させる。
【００３０】
また、制御部８０は、排出トレイ３０上に排出された用紙Ｐの枚数が増加するのに伴って、第１トレイ３１および第２トレイ３２を徐々に下げる。この場合、第２トレイ３２の下降量（第１昇降部４１の委縮（短縮）量）と同じ量だけ第１トレイ３１の上流側端部３１ａを下降（第２昇降部４２を委縮（短縮））させればよい。
【００３１】
また、用紙ＰがＡ４サイズで、用紙Ｐの厚みが第１の厚みよりも厚い第２の厚み（用紙Ｐが例えば厚紙）の場合は図５に示すように、制御部８０は、第１昇降部４１を用いて、第１トレイ３１の上面（用紙載置面）の水平面に対する傾斜角度が大きくなるように、第１トレイ３１の角度を変更する。また、制御部８０は、第２昇降部４２を用いて、第２トレイ３２のトレイ本体２１に対する高さ位置を低くする。このとき、第１トレイ３１の上流側端部３１ａの下降量を、第２トレイ３２の下降量よりも大きくする必要がある。
【００３２】
また、本実施形態では、排出トレイ３０は、トレイ本体２１に対して用紙排出方向に沿った方向に移動可能に構成されている。具体的には図２に示すように、トレイ本体２１の上面には、用紙排出方向に沿ってスライド可能なスライド部材５０が設けられている。スライド部材５０上には、第１昇降部４１および第２昇降部４２が載置されている。このため、スライド部材５０がトレイ本体２１に対して用紙排出方向に沿った方向（図２の左右方向）に移動すると、排出トレイ３０がトレイ本体２１に対して用紙排出方向に沿って移動する。
【００３３】
トレイ本体２１には、スライド部材５０を移動させる移動機構５５（図３参照）が設けられている。例えば、移動機構５５は、モーターおよびピニオンギア等（共に図示せず）によって構成されており、スライド部材５０には、ピニオンギアに噛み合うラック（図示せず）が設けられている。移動機構５５のモーターが正逆回転することによって、ピニオンギアが正逆回転し、スライド部材５０が往復移動する。移動機構５５は、制御部８０によって制御される。
【００３４】
また、本実施形態では、制御部８０は、用紙Ｐのサイズに応じて第１トレイ３１および第２トレイ３２の用紙搬送方向に沿った位置（図３の左右方向の位置）を変更する。
【００３５】
具体的には、用紙Ｐが第１のサイズ（例えばＡ４サイズ）である場合、制御部８０は、第１トレイ３１および第２トレイ３２を図３の位置（第１の位置）に配置する。
【００３６】
一方、用紙Ｐが第１のサイズよりも大きい第２のサイズ（例えばＡ３サイズ）である場合、制御部８０は、第１トレイ３１および第２トレイ３２を図３の位置（第１の位置）よりも用紙排出方向下流側の位置（第２の位置、図７の位置）に配置する。
【００３７】
この状態では、第１トレイ３１および第２トレイ３２を移動させた分だけ、第１トレイ３１と用紙排出口１９が設けられた面１００ａ（図７参照）との間に隙間が生じる。そこで、本実施形態では、第１トレイ３１には、第１トレイ３１に対してスライド可能で、第１トレイ３１に収納される収納位置（図８の位置）と、第１トレイ３１から用紙排出方向上流側に引き出されて第１トレイ３１の用紙積載面を延長する引出位置（図９の位置）と、に選択配置される延長トレイ３４が設けられている。
【００３８】
そして、第１トレイ３１および第２トレイ３２が図３の位置から図７の位置に移動されると、ユーザーによって延長トレイ３４が引出位置（図７および図９の位置）に引き出される。また、排出トレイ３０を図７の位置から図３の位置に移動する際には、ユーザーによって延長トレイ３４が収納位置（図８の位置）に収納される。
【００３９】
本実施形態では、上記のように、排出トレイ３０は、第１トレイ３１と、第１トレイ３１に対して用紙排出方向下流側に配置される第２トレイ３２と、第１トレイ３１と第２トレイ３２との接続部に設けられる回動軸３３と、を含み、昇降機構４０は、第１トレイ３１および第２トレイ３２をトレイ本体２１に対して昇降させるとともに、回動軸３３を中心として第１トレイ３１の用紙排出方向の上流側端部３１ａを昇降させることにより第１トレイ３１の角度を変更する。これにより、様々な種類の用紙Ｐに応じて第１トレイ３１を適切な角度に設定することができるとともに、第１トレイ３１および第２トレイ３２を適切な高さ位置に設定することができる。このため、様々な種類の用紙Ｐを排出トレイ３０に適切に排出させることができる。
【００４０】
また、上記のように、制御部８０は、第２昇降部４２により第２トレイ３２をトレイ本体２１に対して昇降させる際に、第２トレイ３２の昇降量に基づいて第１昇降部４１により第１トレイ３１の上流側端部３１ａを昇降させる。これにより、第２トレイ３２をトレイ本体２１に対して昇降させる場合に、第１トレイ３１を適切な角度に容易に設定することができる。例えば、第２トレイ３２をトレイ本体２１に対して昇降させる場合に、第２トレイ３２の昇降量と同じ量だけ第１トレイ３１の上流側端部３１ａを昇降させることによって、第１トレイ３１の角度を維持することができる。
【００４１】
また、上記のように、用紙Ｐの厚みが第１の厚み（用紙Ｐが例えば薄紙）の場合、用紙Ｐの厚みが第２の厚み（用紙Ｐが例えば厚紙）の場合に比べて、第２トレイ３２のトレイ本体２１に対する高さ位置を高くするとともに、第１トレイ３１の水平面に対する角度が小さくなるように第１トレイ３１の角度を変更する。これにより、用紙排出口１９から第１トレイ３１までの距離を十分短くすることができるので、用紙Ｐの厚みが小さい（腰が弱い）場合であっても用紙排出口１９から排出された用紙Ｐの先端部が垂れ下がる前に、用紙Ｐの先端部を第１トレイ３１で受けることができる。これにより、用紙Ｐの先端部の第１トレイ３１に対する進入角度（第１トレイ３１の上面（用紙積載面）に対する用紙Ｐの先端の角度）を十分小さくすることができるので、排出トレイ３０上で用紙Ｐの先端部が丸まってしまうのを十分抑制することができる。
【００４２】
また、上記のように、排出トレイ３０は、トレイ本体２１に対して用紙排出方向に沿った方向に移動可能に構成されている。これにより、用紙Ｐが大サイズの場合に排出トレイ３０をトレイ本体２１に対して用紙排出方向の下流側に移動させることによって、用紙Ｐが排出トレイ３０から用紙排出方向下流側に落下するのを抑制することができる。また、回動軸３３（第１トレイ３１の用紙排出方向の下流端）を用紙排出方向下流側に移動させることができるので、排出トレイ３０上の用紙Ｐは第１トレイ３１上を用紙排出方向上流側に滑りやすくなる。これにより、用紙Ｐの後端を容易に揃えることができる。
【００４３】
また、上記のように、トレイ装置２０は、第１トレイ３１および第２トレイ３２をトレイ本体２１に対して用紙排出方向に沿った方向に移動させる移動機構５５を含む。これにより、様々なサイズの用紙Ｐに応じて排出トレイ３０をトレイ本体２１に対して用紙排出方向に沿った方向に容易に移動させることができる。
【００４４】
また、上記のように、制御部８０は、用紙Ｐのサイズが第１のサイズ（例えばＡ４サイズ）の場合、排出トレイ３０を第１の位置（図３の位置）に配置し、用紙Ｐのサイズが第２のサイズ（例えばＡ３サイズ）の場合、排出トレイ３０を第１の位置よりも用紙排出方向下流側に配置する。これにより、様々なサイズの用紙Ｐに応じて第１トレイ３１および第２トレイ３２を適切な位置に自動で配置することができる。
【００４５】
また、上記のように、第１トレイ３１には、第１トレイ３１に収納される収納位置と、第１トレイ３１から用紙排出方向上流側に引き出されて第１トレイ３１の用紙積載面を延長する引出位置と、に選択配置される延長トレイ３４が設けられている。これにより、第１トレイ３１および第２トレイ３２をトレイ本体２１に対して用紙排出方向下流側に移動させた際に延長トレイ３４を引出位置に配置することによって、用紙Ｐの後端が第１トレイ３１から用紙排出方向上流側に落下するのを抑制することができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
例えば、上記実施形態においては、本発明のシート排出装置を画像形成装置に適用した例について示したが、本発明はこれに限らない。例えば、本発明のシート排出装置を画像形成装置に連設される後処理装置に適用してもよい。
【００４８】
また、上記実施形態では、操作パネル６０によって用紙Ｐの厚みに関する情報および用紙Ｐのサイズに関する情報を取得する例について説明したが、本発明はこれに限らない。例えば、シートの厚みを検知するメディアセンサー（厚み情報取得部）およびシートのサイズを検知するサイズ検知センサー（サイズ情報取得部）を設けてもよい。
【００４９】
また、上記実施形態では、用紙Ｐの厚みに応じて、第１トレイ３１および第２トレイ３２の高さ位置と第１トレイ３１の角度とを変更する例について示したが、本発明はこれに限らない。例えば、シートの材質に応じて、第１トレイ３１および第２トレイ３２の高さ位置と第１トレイ３１の角度とを変更してもよい。
【００５０】
また、例えば、温度および湿度を検知する温湿度センサー（温湿度情報取得部）をさらに設け、シートの厚みと温度および湿度とに応じて第１トレイ３１の角度を変更してもよい。温度および湿度が高くなれば、シートに含まれる水分量が増加し、シートの先端部が垂れ下がりやすくなるため、第１トレイ３１および第２トレイ３２を高くするとともに、第１トレイ３１の角度を小さくする（水平に近づける）ことによって排出トレイ３０上でシートの先端部が丸まってしまうのをより抑制することができる。
【００５１】
また、上記実施形態では、用紙Ｐの厚みが第１の厚み（用紙Ｐが例えば薄紙）の場合に、図４に示すように、第１トレイ３１の上面（用紙積載面）を水平に近づける例について示したが、本発明はこれに限らない。例えば、用紙Ｐの厚みが第１の厚み（用紙Ｐが例えば薄紙）の場合に、第１トレイ３１の上面（用紙積載面）を完全に水平にしてもよい。この場合、排出トレイ３０上の用紙Ｐを第１トレイ３１上を用紙排出方向上流側に滑らせて用紙Ｐの後端を揃えるために、排出トレイ３０上に用紙Ｐが１枚ずつ排出される度に、第１トレイ３１の上流側端部３１ａを一旦下げた後に第１トレイ３１の上面を完全に水平にしてもよい。
【００５２】
また、上記実施形態では、延長トレイ３４をユーザーが引き出したり収納したりする例について示したが、本発明はこれに限らず、駆動機構を設け、駆動機構により延長トレイ３４を収納位置と引出位置との間で自動で移動させてもよい。
【００５３】
また、上記実施形態では、図２に示したように、排出トレイ３０の用紙幅方向（図３の紙面に対して垂直方向）の長さがトレイ本体２１の用紙幅方向の長さよりも短い例について示したが、本発明はこれに限らない。例えば、排出トレイ３０の用紙幅方向の長さをトレイ本体２１の用紙幅方向の長さと同じ長さに形成してもよい。また、例えば、図１０に示した本発明の変形例の用紙排出装置のように、排出トレイ３０に対して奥側と手前側とに一対の補助トレイ３５を設けてもよい。この場合、補助トレイ３５をスライド部材５０に固定してもよい。また、補助トレイ３５の上面を、第１トレイ３１および第２トレイ３２を最も低く配置した状態で第１トレイ３１および第２トレイ３２の上面よりも上側に突出しないように配置すればよい。
【００５４】
また、上述した実施形態および変形例の構成を適宜組み合わせて得られる構成についても、本発明の技術的範囲に含まれる。
【符号の説明】
【００５５】
６  画像形成部
１８  排出ローラー対
１９  用紙排出口（シート排出口）
２０  トレイ装置
２１  トレイ本体
３０  排出トレイ
３１  第１トレイ
３１ａ  上流側端部
３２  第２トレイ
３３  回動軸
３４  延長トレイ
４０  昇降機構
４１  第１昇降部
４２  第２昇降部
５５  移動機構
６０  操作パネル（厚み情報取得部、サイズ情報取得部）
８０  制御部（昇降制御部、移動制御部）
１００  画像形成装置
Ｐ  用紙（シート）
【図１】
2020079157.tif 000003
【図２】
2020079157.tif 000004
【図３】
2020079157.tif 000005
【図４】
2020079157.tif 000006
【図５】
2020079157.tif 000007
【図６】
2020079157.tif 000008
【図７】
2020079157.tif 000009
【図８】
2020079157.tif 000010
【図９】
2020079157.tif 000011
【図１０】
2020079157.tif 000012